(57)【要約】【課題】コンテンツの著作権保護のために、専門的な知識を有する第三者に対しても十分に対応でき、且つ簡易に実現できる対策が要求される。【解決手段】コンテンツ認証システム１００は、利用権限の有無を識別するための暗号化された認証情報７２を記憶する記憶媒体７と、当該記憶媒体７について利用権限を認証する情報処理装置１と、を含む。情報処理装置１は、記憶媒体７から認証情報７２を読み取る読取部１１と、読み取った認証情報７２に基づいて、記憶媒体７が利用権限を有しているか否かを判定する判定部１５と、判定部１５により記憶媒体７が利用権限を有していると判定されたときに、記憶媒体７に記憶されている認証情報７２の内容を異なる内容に更新する出力部１６を有する。【選択図】図１
2009217316.tif 000002
【特許請求の範囲】
【請求項１】
コンテンツに対しての利用権限を認証するコンテンツ認証システムであって、
前記コンテンツ認証システムは、前記利用権限の有無を識別するための暗号化された認証情報を記憶する記憶媒体と、当該記憶媒体について前記利用権限を認証する情報処理装置と、を含み、
前記情報処理装置は、
前記記憶媒体から前記認証情報を読み取る読取部と、
前記読み取った認証情報に基づいて、前記記憶媒体が前記利用権限を有しているか否かを判定する判定部と、
前記判定部により前記記憶媒体が前記利用権限を有していると判定されたときに、前記記憶媒体に記憶されている前記認証情報の内容を異なる内容に更新する出力部を有することを特徴とするコンテンツ認証システム。
【請求項２】
前記情報処理装置は、
前記読み取った認証情報を第１の暗号鍵を用いて復号化する復号部と、
前記第１の暗号鍵を、当該第１の暗号鍵とは内容が異なる第２の暗号鍵に変更する暗号鍵生成部と、
前記第２の暗号鍵を用いて暗号化する暗号部と、を更に有し、
前記出力部は、前記記憶媒体に記憶されている前記認証情報の内容を、前記第２の暗号鍵を用いて暗号化した内容に更新することを特徴とする請求項１に記載のコンテンツ認証システム。
【請求項３】
前記情報処理装置は、前記判定部により前記記憶媒体が前記利用権限を有していると判定されたときに、前記コンテンツが示す画像にウォターマークが付加されないように制御することを特徴とする請求項１又は２に記載のコンテンツ認証システム。
【請求項４】
前記記憶媒体は強誘電体メモリを備え、前記認証情報は当該強誘電体メモリに記憶されることを特徴とする請求項１から３のいずれか一項に記載のコンテンツ認証システム。
【請求項５】
前記強誘電体メモリは、１０10以上の書き換え回数に対して耐性を有することを特徴とする請求項４に記載のコンテンツ認証システム。
【発明の詳細な説明】
【技術分野】
【０００１】
本発明は、コンテンツに対しての利用権限を認証するコンテンツ認証システムに関する。
【背景技術】
【０００２】
従来、画像、映像、オーディオ等のコンテンツに対して、著作権保護の目的のために様々な対策が実施されている。それらの対策の一つとして、コンテンツの利用権限に関する情報をカード等の記憶媒体に記憶し、その記憶媒体を、コンテンツを再生等する情報処理装置によって認証することでコンテンツの著作権保護を実施する対応方法がある。例えば、下記の特許文献１では、コンテンツの利用権限を持つユーザに、暗号アルゴリズムを記憶したカードを渡すことにより、コンテンツを再生等する権限を付与している。また、下記の特許文献２では、カードのＩＣチップにユーザライセンス等の情報を記憶することにより、ユーザにコンテンツを再生等する権限を付与している。
【０００３】
【特許文献１】特開２００１−７７８０６号公報
【特許文献２】特開２００７−７２６１２号公報
【発明の開示】
【発明が解決しようとする課題】
【０００４】
しかしながら、上記した特許文献１及び特許文献２のような著作権保護の対応方法では、専門的な知識を有する第三者への対策としては不十分であり、カードに記憶された暗号アルゴリズムやユーザライセンス等の機密データが盗用されてしまう可能性がある。したがって、コンテンツの著作権保護のために、専門的な知識を有する第三者に対しても十分に対応でき、且つ簡易に実現できる対策が要求される。
【課題を解決するための手段】
【０００５】
本発明は、上記の課題の少なくとも一部を解決するためになされたものであり、以下の形態又は適用例として実現することが可能である。
【０００６】
［適用例１］
コンテンツに対しての利用権限を認証するコンテンツ認証システムであって、前記コンテンツ認証システムは、前記利用権限の有無を識別するための暗号化された認証情報を記憶する記憶媒体と、当該記憶媒体について前記利用権限を認証する情報処理装置と、を含み、前記情報処理装置は、前記記憶媒体から前記認証情報を読み取る読取部と、前記読み取った認証情報に基づいて、前記記憶媒体が前記利用権限を有しているか否かを判定する判定部と、前記判定部により前記記憶媒体が前記利用権限を有していると判定されたときに、前記記憶媒体に記憶されている前記認証情報の内容を異なる内容に更新する出力部を有することを特徴とするコンテンツ認証システム。
【０００７】
上記したコンテンツ認証システムによれば、読取部は、記憶媒体からコンテンツの利用権限の有無を識別するための暗号化された認証情報を読み取る。そして、読み取った認証情報に基づいて、判定部により記憶媒体が利用権限を有していると判定されたときに、出力部は、記憶媒体の認証情報の内容を異なる内容に更新する。
このため、記憶媒体に記憶される暗号化された認証情報の内容は、情報処理装置が認証処理を行う毎に可変となる。したがって、判定部は、記憶媒体が利用権限を有しているか否かの判定を、この可変の認証情報に応じて行うことになる。これにより、記憶媒体が盗難や紛失により第三者の手に渡ったときに、この記憶媒体の認証情報は、暗号化されて、且つ固定された内容ではなくて可変であることから、専門的な知識を有する第三者が解析することの困難性を高めることになる。この結果、専門的な知識を有する第三者に対してもコンテンツの著作権保護の対策を十分に且つ簡易に実現することができる。
【０００８】
［適用例２］
前記情報処理装置は、前記読み取った認証情報を第１の暗号鍵を用いて復号化する復号部と、前記第１の暗号鍵を、当該第１の暗号鍵とは内容が異なる第２の暗号鍵に変更する暗号鍵生成部と、前記第２の暗号鍵を用いて暗号化する暗号部と、を更に有し、前記出力部は、前記記憶媒体に記憶されている前記認証情報の内容を、前記第２の暗号鍵を用いて暗号化した内容に更新することを特徴とする上記コンテンツ認証システム。
【０００９】
上記したコンテンツ認証システムによれば、復号部において復号化に用いた第１の暗号鍵と、暗号部において暗号化に用いた第２の暗号鍵とは、それぞれの内容が異なる。これにより、記憶媒体に記憶されている認証情報の内容を、暗号化された異なる内容に変更することができる。
【００１０】
［適用例３］
前記情報処理装置は、前記判定部により前記記憶媒体が前記利用権限を有していると判定されたときに、前記コンテンツが示す画像にウォターマークが付加されないように制御することを特徴とする上記コンテンツ認証システム。
【００１１】
上記したコンテンツ認証システムによれば、記憶媒体が利用権限を有していると判定されたときに、ウォターマークが付加されたコンテンツ画像について、この画像からウォターマークを取り除くことができる。これにより、ウォターマークを付加する著作権保護の対応方法についても適用することができる。
【００１２】
［適用例４］
前記記憶媒体は強誘電体メモリを備え、前記認証情報は当該強誘電体メモリに記憶されることを特徴とする上記コンテンツ認証システム。
【００１３】
上記したコンテンツ認証システムによれば、強誘電体メモリは耐タンパ性に優れることから、記憶媒体における認証情報の秘匿性を高めることができる。
【００１４】
［適用例５］
前記強誘電体メモリは、１０10以上の書き換え回数に対して耐性を有することを特徴とする上記コンテンツ認証システム。
【００１５】
上記したコンテンツ認証システムによれば、強誘電体メモリは書き換え耐性に優れた特性を有することから、記憶媒体における認証情報の内容を頻繁に更新する場合においても、問題なく実用化することができる。
【発明を実施するための最良の形態】
【００１６】
以下、本実施形態に係るコンテンツ認証システムについて図面を参照して説明する。
【００１７】
＜コンテンツ認証システムの機能構成＞
図１は、コンテンツ認証システム１００の機能構成を示すブロック図である。同図に示すように、コンテンツ認証システム１００は、情報処理装置の例としてのコンピュータ１と、当該コンピュータ１からアクセス可能な記憶媒体の例としての認証カード７とにより構成される。
コンピュータ１は、読取部１１、復号部１２、暗号鍵生成部１３、暗号部１４、判定部１５、出力部１６、制御部１７及びハードディスク２０を有している。また、コンピュータ１には、操作パネル３が接続されている。
【００１８】
認証カード７は、強誘電体メモリ７１を備えている。この強誘電体メモリ７１には、暗号化された認証情報（暗号文）７２が記憶されている。ここでは、強誘電体メモリ７１は、ＦｅＲＡＭ（Ferroelectric Random Access Memory）等の再書き込み記憶保持を必要とする耐タンパ性を有する不揮発性メモリによって構成される。なお、ＦｅＲＡＭの詳細については後述する。
【００１９】
コンピュータ１の読取部１１は、認証カード７の強誘電体メモリ７１に記憶されている認証情報（暗号文）７２を読み取る。また、コンピュータ１と認証カード７とは電気的に接続された状態にあるが、これに限られず、相互が非接触の状態で無線通信により情報を読み書きしても良い。
【００２０】
ハードディスク２０には、コンテンツ２１、ウォターマーク表示フラグ２２、識別情報２３、暗号鍵２４等が記憶されている。
コンテンツ２１は、コンテンツ画像を形成するコンテンツ画像データ２１ａと、ウォターマーク画像を形成するウォターマーク画像データ２１ｂとを含んで構成される。このウォターマーク画像は、コンテンツ画像に付加することによりコンテンツ２１の著作権を保護する役割を果たす。
ウォターマーク表示フラグ２２は、コンテンツ画像にウォターマーク画像を付加するか否かを制御するために用いる。ここでは、ウォターマーク表示フラグ２２が「ＯＮ」のときは、コンテンツ画像にウォターマーク画像が付加されて表示される。一方、ウォターマーク表示フラグ２２が「ＯＦＦ」のときは、コンテンツ画像のみ表示され、ウォターマーク画像は表示されない。
【００２１】
識別情報２３は、コンテンツ２１を識別する情報であり、認証カード７を認証するために用いる。また、識別情報２３は、暗号化されていない固定の平文であり更新されることはない。
暗号鍵２４には、初期鍵２４ａと可変鍵２４ｂとの２種類がある。これらの初期鍵２４ａと可変鍵２４ｂとは、認証カード７の強誘電体メモリ７１から読み取った認証情報（暗号文）７２を復号化するために用いる。また、可変鍵２４ｂは、識別情報２３を暗号化して、更新後の認証情報（暗号文）７２を生成するためにも用いる。
ここで、初期鍵２４ａは、未使用の認証カード７について、その認証情報（暗号文）７２が利用権限を有していることを認証するための鍵である。また、可変鍵２４ｂは、既使用の認証カード７について、その認証情報（暗号文）７２が利用権限を有していることを認証するための鍵である。
また、初期鍵２４ａの内容は固定であって更新されることはないが、可変鍵２４ｂの内容は可変であって異なる内容に更新される。具体的には、認証情報（暗号文）７２を復号化するときに用いる可変鍵２４ｂ（第１の暗号鍵）が、後述する暗号鍵生成部１３により内容が変更されて、識別情報２３を暗号化するときに用いる可変鍵２４ｂ（第２の暗号鍵）となる。
【００２２】
復号部１２は、認証カード７の強誘電体メモリ７１から読み取った認証情報（暗号文）７２を、初期鍵２４ａ又は可変鍵２４ｂを用いて復号化して平文とする。
暗号鍵生成部１３は、可変鍵２４ｂを生成する。ここでは、乱数を用いて実行毎に異なる内容の可変鍵２４ｂを生成するようにしている。なお、可変鍵２４ｂは、乱数を用いない別の方法により、実行毎に異なる内容を生成しても良い。
暗号部１４は、平文である識別情報２３を可変鍵２４ｂを用いて暗号化する。
【００２３】
判定部１５は、認証カード７の強誘電体メモリ７１から読み取って復号化した認証情報（暗号文）７２の平文を、識別情報２３と比較することにより、認証カード７がコンテンツ２１の利用権限を有しているか否かを判定する。
【００２４】
出力部１６は、認証カード７の強誘電体メモリ７１の認証情報（暗号文）７２の内容を、暗号化された識別情報２３の内容に更新する。
制御部１７は、図示しないＣＰＵ，ＲＯＭ，ＲＡＭ等を備えて、上記した読取部１１、復号部１２、暗号鍵生成部１３、暗号部１４、判定部１５、出力部１６、制御部１７、ハードディスク２０及び操作パネル３の各部等を制御する。
【００２５】
＜記憶部の構成＞
次に、認証カード７における強誘電体メモリ７１を構成するＦｅＲＡＭについて説明する。
ＦｅＲＡＭは、強誘電体材料によりメモリセルが構成されており、強誘電体材料をデータ保持用のキャパシタに利用したメモリである。強誘電体膜は、自発分極特性を有し、印加される電界方向に応じて分極方向が反転する性質を有している。ＦｅＲＡＭは、この分極反転を記憶保持に利用している。また、ＦｅＲＡＭは、データ保持のための電源を不要とする不揮発性メモリである。
【００２６】
図２は、ＦｅＲＡＭを構成するメモリセルを示す図である。同図に示すように、メモリセル５０は、トランジスタ５１と、強誘電体膜から構成される強誘電体キャパシタ５２とから構成されている。トランジスタ５１のゲート端子にＷＬ（ワード線）５３が接続され、トランジスタ５１のドレイン端子（又はソース端子）にＢＬ（ビット線）５４が接続され、トランジスタ５１のソース端子（又はドレイン端子）に強誘電体キャパシタ５２の一方側の端子が接続され、強誘電体キャパシタ５２の他方側の端子にＰＬ（プレート線）５５が接続されている。
【００２７】
次に、メモリセル５０にデータを書き込む動作について説明する。
メモリセル５０は、強誘電体キャパシタ５２の両端子間に所定電圧（Ｖｃｃ）が印加されることにより、「１」及び「０」のデータが書き込まれる。例えば、メモリセル５０は、ＷＬ５３が選択状態（トランジスタ５１オン状態）にされ、ＢＬ５４が０Ｖにされ、ＰＬ５５にＶｃｃが印加されることにより「０」が書き込まれる。また、ＢＬ５４にＶｃｃが印加され、ＰＬ５５が０Ｖにされることにより「１」が書き込まれる。また、メモリセル５０は、ＷＬ５３が非選択状態（トランジスタ５１オフ状態）になっても書き込まれたデータを保持する。
【００２８】
次に、メモリセル５０に書き込まれているデータを読み出す動作について説明する。
メモリセル５０には、図示しないセンスアンプ回路が備えられており、ＢＬ５４がオープン状態（０Ｖ）にされ、ＷＬ５３が選択状態にされ、ＰＬ５５にＶｃｃが印加されることにより、ＢＬ５４を介してセンスアンプ回路に所定の電圧が供給される。センスアンプ回路は、強誘電体キャパシタ５２の分極状態に応じて異なる電圧が供給され、それぞれの電圧に基づいて増幅を行う。メモリセル５０は、センスアンプ回路による増幅後の電圧に応じて「１」又は「０」が読み出される。
【００２９】
ここで、メモリセル５０は、データの読み出し動作において、「１」が読み出された場合、強誘電体キャパシタ５２の分極が「１」から「０」の状態に反転されることで破壊読出しの動作を行う。そして、メモリセル５０は、強誘電体キャパシタ５２の分極を「１」の状態に維持するために、「１」のデータを読み出した後、再び「１」のデータを書き込むことで再書き込み動作を行うように制御されている。
【００３０】
このように、上記したＦｅＲＡＭは、自発分極特性を利用したメモリであることから、物理的にチップ内の情報を読み出すことが困難である。また、ＦｅＲＡＭは、破壊読出しの動作を行って再書き込みの動作を行うように制御されていることから、内部解析（リバース・エンジニアリング）や改変に対する防護力となる耐タンパ性において優れている。また、ＦｅＲＡＭは、破壊読出しの動作を行った後の再書き込みの動作を通常の揮発性メモリ（例えば、ＳＲＡＭやＤＲＡＭ等）と同等の高速実行性能を利用して行う。更に、ＦｅＲＡＭは、１０10以上の書き換え回数に対して耐性を有する。
【００３１】
＜コンピュータにおける動作＞
次に、コンピュータ１における動作について説明する。
図３は、コンピュータ１における動作を示すフローチャートである。同図に示すフローチャートは、コンピュータ１が、認証カード７に対してコンテンツ２１の利用権限を認証するときに動作を開始する。
【００３２】
先ず、ステップＳ１１０では、読取部１１は、認証カード７の強誘電体メモリ７１に記憶されている暗号化された認証情報（暗号文）７２を読み取る。
【００３３】
ステップＳ１２０では、復号部１２は、ステップＳ１１０において読み取った認証情報（暗号文）７２を復号化する。このとき、復号部１２は、ハードディスク２０に記憶されている初期鍵２４ａを用いて復号化する。ここで、コンテンツ２１の利用権限を有している未使用の認証カード７については正しく復号化される。他方、コンテンツ２１の利用権限を有していない認証カード７や、既使用の認証カード７については、正しく復号化されない。
【００３４】
ステップＳ１３０では、判定部１５は、ステップＳ１２０において復号化した認証情報（暗号文）７２の平文と、ハードディスク２０の識別情報２３とを比較する。このとき、認証情報（暗号文）７２の平文、及び識別情報２３のそれぞれのハッシュ値を算出して比較する。比較の結果、それぞれのハッシュ値が一致する場合、認証カード７が未使用であり且つ利用権限を有していると判定し、ステップＳ１８０へ進む。他方、それぞれのハッシュ値が一致しない場合は、次のステップＳ１４０へ進む。
【００３５】
ステップＳ１４０では、復号部１２は、ステップＳ１１０において読み取った認証情報（暗号文）７２を復号化する。このとき、復号部１２は、ハードディスク２０に記憶されている可変鍵２４ｂを用いて復号化する。ここで、コンテンツ２１の利用権限を有している既使用の認証カード７については正しく復号化される。他方、コンテンツ２１の利用権限を有していない認証カード７や、未使用の認証カード７については、正しく復号化されない。
【００３６】
ステップＳ１５０では、判定部１５は、ステップＳ１４０において復号化した認証情報（暗号文）７２の平文と、ハードディスク２０の識別情報２３とを比較する。このとき、認証情報（暗号文）７２の平文、及び識別情報２３のそれぞれのハッシュ値を算出して比較する。比較の結果、それぞれのハッシュ値が一致する場合、認証カード７が既使用であり且つ利用権限を有していると判定し、ステップＳ１８０へ進む。他方、それぞれのハッシュ値が一致しない場合は、認証カード７が利用権限を有していないと判定し、次のステップＳ１６０へ進む。
【００３７】
ステップＳ１６０では、ハードディスク２０のウォターマーク表示フラグ２２に「ＯＮ」をセットする。これにより、コンテンツ画像にウォターマーク画像が付加されて表示されることになる。そして、ステップＳ１７０において、認証カード７がコンテンツ２１に対しての利用権限を有していない旨のエラーメッセージ等を操作パネル３に表示して認証処理を終了する。
【００３８】
ステップＳ１８０では、ハードディスク２０のウォターマーク表示フラグ２２に「ＯＦＦ」をセットする。これにより、コンテンツ画像にウォターマーク画像が表示されないことになる。
【００３９】
ステップＳ１９０では、暗号鍵生成部１３は、ステップＳ１４０における復号化に用いた可変鍵２４ｂとは異なる内容の可変鍵２４ｂを、乱数を用いて再生成する。そして、ステップＳ２００において、暗号部１４は、ステップＳ１９０において再生成された可変鍵２４ｂを用いて、ハードディスク２０の識別情報２３を用いて暗号化された識別情報２３を生成する。
【００４０】
ステップＳ２１０では、出力部１６は、認証カード７の強誘電体メモリ７１の認証情報（暗号文）７２の内容を、ステップＳ２００において生成した暗号化された識別情報２３の内容に更新する。
これにより、次に認証カード７の認証情報（暗号文）７２を復号化するときは、ステップＳ１９０において再生成された可変鍵２４ｂを用いることになり、認証カード７とコンピュータ１とは相互に対応が取れた状態になる。
【００４１】
図４は、コンピュータ１が、コンテンツ２１の利用権限を認証するときに更新される認証情報（暗号文）７２及び可変鍵２４ｂの例を示す図である。同図では、１回目の認証に伴い、認証カード７の強誘電体メモリ７１から認証情報（暗号文）７２「ＡＡＡ」を読み取る。このとき、可変鍵２４ｂには「１１１１１１」がセットされており、この可変鍵２４ｂ「１１１１１１」を用いて復号化する。その後、可変鍵２４ｂ「２２２２２２」を生成し、この可変鍵２４ｂ「２２２２２２」用いて識別情報２３を暗号化した「ＢＢＢ］を生成する。そして、認証カード７の強誘電体メモリ７１の認証情報（暗号文）７２を「ＢＢＢ」に更新する。
【００４２】
続けて、２回目の認証に伴い、１回目に更新された認証情報７２「ＢＢＢ」を読み取り、１回目に生成された可変鍵２４ｂ「２２２２２２」を用いて復号化する。その後、可変鍵２４ｂ「３３３３３３」を生成し、識別情報２３を暗号化した「ＣＣＣ」を生成し、認証情報（暗号文）７２を「ＣＣＣ」に更新する。このようにして、３回目以降の認証についても同様に、「認証情報（暗号文）７２を読み取り」〜「認証情報（暗号文）７２の更新」の処理を繰り返す。
【００４３】
上述したように、本実施形態に係るコンピュータ１では、認証カード７の認証情報（暗号文）７２の内容を、ハードディスク２０の識別情報２３を暗号化した内容に更新する。この暗号化では、乱数を用いて生成した可変鍵２４ｂを用いることで、認証情報（暗号文）７２の内容は毎回異なる内容に更新される。そして、認証情報（暗号文）７２を可変鍵２４ｂを用いて復号化した場合、復号化した内容と識別情報２３とが一致することから、コンピュータ１と認証カード７との相互の対応が取れた状態になる。つまり、コンテンツ２１の利用権限を有している認証カード７については、コンピュータ１における認証の都度、利用権限を有していると判定することができる。また、利用権限を有している未使用の認証カード７の場合は、認証情報（暗号文）７２を初期鍵２４ａを用いて復号化することから、復号化した内容と識別情報２３とが一致し、利用権限を有していると判定することができる。
【００４４】
例えば、盗難された認証カード７を第三者の所有するコンピュータで認証する場合、認証カード７の認証情報（暗号文）７２を、第三者の所有するコンピュータにおける可変鍵２４ｂを用いて復号化すると、復号化した内容と識別情報２３とが一致しない。このため、この認証カード７は利用権限を有していないと判定され、第三者は認証カード７を使用することができなくなる。更に、認証カード７の認証情報（暗号文）７２は、暗号化された識別情報２３の内容に随時更新されることから、第三者が認証情報（暗号文）７２の内容を固定的に特定して盗用することができなくなる。この結果、専門的な知識を有する第三者が認証カード７のセキュリティについて解析することの困難性を更に高めることになる。
【００４５】
なお、上述した実施形態では、記憶媒体としてカードの例を示したが、これに限られず、例えば、スマートメディア（登録商標）、メモリスティック（登録商標）、ＵＳＢメモリ、携帯電話等にも適用することができる。また、情報処理装置としてコンピュータの例を示したが、これに限られず、例えば、プリンタ、ファクシミリ装置、コピー機、複合機等にも適用することができる。
【図面の簡単な説明】
【００４６】
【図１】コンテンツ認証システムの機能構成を示すブロック図。
【図２】ＦｅＲＡＭを構成するメモリセルを示す図。
【図３】コンピュータにおける動作を示すフローチャート。
【図４】コンテンツの利用権限を認証するときに更新される認証情報及び可変鍵の例を示す図。
【符号の説明】
【００４７】
１…コンピュータ、３…操作パネル、７…認証カード、１１…読取部、１２…復号部、１３…暗号鍵生成部、１４…暗号部、１５…判定部、１６…出力部、１７…制御部、２０…ハードディスク、２１…コンテンツ、２１ａ…コンテンツ画像データ、２１ｂ…ウォターマーク画像データ、２２…ウォターマーク表示フラグ、２３…識別情報、２４…暗号鍵、２４ａ…初期鍵、２４ｂ…可変鍵、７１…強誘電体メモリ、７２…認証情報、１００…コンテンツ認証システム。
【図１】
2009217316.tif 000003
【図２】
2009217316.tif 000004
【図３】
2009217316.tif 000005
【図４】
2009217316.tif 000006